【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
ガス検知が可能な検知部（２１）を軸方向（Ｌ）の先端側位置に有するセンサ素子（２）と、
前記検知部が前記軸方向の先端側（Ｌ１）に突出する状態で、前記センサ素子が挿通された筒形状のハウジング（４１）と、
前記センサ素子の前記軸方向の基端側位置に設けられた端子部（２２）に接触する接点端子（４４）と、
前記接点端子を保持するインシュレータ（４３）と、
前記接点端子に接続されて外部に引き出されたリード線（４８）と、
前記リード線を保持する封止部材（４７）と、
前記ハウジングの最大外径部を構成するフランジ部（４１１）から前記軸方向の基端側（Ｌ２）に突出して設けられた環状突起部（５）の外周に装着され、前記封止部材を内周側に保持する基端側カバー（４６Ａ，４６Ｂ）と、を備え、
前記環状突起部には、前記フランジ部の前記軸方向の基端側に突出する根元部（５１）と、前記根元部の前記軸方向の基端側に位置するとともに外周が前記根元部よりも縮径して前記根元部との間に環状の段差形状を形成する縮径部（５２）と、前記縮径部の前記軸方向の基端側に位置するとともに外周が前記縮径部よりもさらに縮径して前記縮径部との間に環状の段差形状を形成する一般部とが形成されており、
前記基端側カバーの前記軸方向における先端側端部（４６０）は、前記縮径部の外周に接合されており、
前記基端側カバーと前記一般部との間には、前記軸方向に直交する径方向の幅が前記基端側カバーの厚みよりも小さな環状の隙間が形成されている、ガスセンサ（１）。
【請求項２】
前記縮径部の前記軸方向の長さは、前記根元部の前記軸方向の長さ及び前記一般部の前記軸方向Ｌの長さよりも短い、請求項１に記載のガスセンサ。
【請求項３】
ガス検知が可能な検知部（２１）を軸方向（Ｌ）の先端側位置に有するセンサ素子（２）と、
前記検知部が前記軸方向の先端側（Ｌ１）に突出する状態で、前記センサ素子が挿通された筒形状のハウジング（４１）と、
前記センサ素子の前記軸方向の基端側位置に設けられた端子部（２２）に接触する接点端子（４４）と、
前記接点端子を保持するインシュレータ（４３）と、
前記接点端子に接続されて外部に引き出されたリード線（４８）と、
前記リード線を保持する封止部材（４７）と、
前記ハウジングの最大外径部を構成するフランジ部（４１１）から前記軸方向の基端側（Ｌ２）に突出して設けられた環状突起部（５）の外周に装着され、前記封止部材を内周側に保持する基端側カバー（４６Ａ，４６Ｂ）と、を備え、
前記基端側カバーの前記軸方向における先端側端部（４６０）の内周には、前記先端側端部の外周が前記軸方向に平行な状態のまま、凸部（４６６）が形成されており、
前記環状突起部と前記基端側カバーの前記先端側端部とは、前記凸部を介して接合されており、
前記基端側カバーと前記環状突起部との間には、前記凸部の前記軸方向に直交する径方向の幅と同じ幅の環状の隙間が形成されている、ガスセンサ（１）。
【請求項４】
ガス検知が可能な検知部（２１）を軸方向（Ｌ）の先端側位置に有するセンサ素子（２）と、
前記検知部が前記軸方向の先端側（Ｌ１）に突出する状態で、前記センサ素子が挿通された筒形状のハウジング（４１）と、
前記センサ素子の前記軸方向の基端側位置に設けられた端子部（２２）に接触する接点端子（４４）と、
前記接点端子を保持するインシュレータ（４３）と、
前記接点端子に接続されて外部に引き出されたリード線（４８）と、
前記リード線を保持する封止部材（４７）と、
前記ハウジングの最大外径部を構成するフランジ部（４１１）から前記軸方向の基端側（Ｌ２）に突出して設けられた環状突起部（５）の外周に装着され、前記封止部材を内周側に保持する基端側カバー（４６Ａ，４６Ｂ）と、を備え、
前記環状突起部の前記軸方向の基端側の端面（５０１）には、凹部（５５）が形成されており、
前記基端側カバーの先端側端部（４６０）は、前記凹部に配置された状態で前記環状突起部に接合されている、ガスセンサ（１）。
【請求項５】
前記環状突起部と前記基端側カバーの前記先端側端部とが接合された接合面積（Ｘ１）は、前記ハウジングと前記基端側カバーの前記先端側端部とが界面を介して接触する接触面積（Ｘ２）よりも大きい、請求項１〜４のいずれか１項に記載のガスセンサ。
【請求項６】
前記環状突起部には、前記インシュレータ又は前記センサ素子を前記ハウジングに固定するためのかしめ部（５３）が形成されている、請求項１〜５のいずれか１項に記載のガスセンサ。
【請求項７】
前記基端側カバーは、前記環状突起部の外周に装着された第１基端側カバー（４６Ａ）と、前記第１基端側カバーの前記軸方向の基端側位置の外周に装着されて、前記封止部材を内周側に保持する第２基端側カバー（４６Ｂ）とによって構成されており、
前記第１基端側カバーと前記第２基端側カバーとの間には、前記第１基端側カバーの熱伝導率及び前記第２基端側カバーの熱伝導率よりも熱伝導率が低い断熱部材（４９）が挟持されている、請求項１〜６のいずれか１項に記載のガスセンサ。
【手続補正２】
【補正対象書類名】明細書
【補正対象項目名】０００８
【補正方法】変更
【補正の内容】
【０００８】
本発明の一態様は、ガス検知が可能な検知部（２１）を軸方向（Ｌ）の先端側位置に有するセンサ素子（２）と、
前記検知部が前記軸方向の先端側（Ｌ１）に突出する状態で、前記センサ素子が挿通された筒形状のハウジング（４１）と、
前記センサ素子の前記軸方向の基端側位置に設けられた端子部（２２）に接触する接点端子（４４）と、
前記接点端子を保持するインシュレータ（４３）と、
前記接点端子に接続されて外部に引き出されたリード線（４８）と、
前記リード線を保持する封止部材（４７）と、
前記ハウジングの最大外径部を構成するフランジ部（４１１）から前記軸方向の基端側（Ｌ２）に突出して設けられた環状突起部（５）の外周に装着され、前記封止部材を内周側に保持する基端側カバー（４６Ａ，４６Ｂ）と、を備え、
前記環状突起部には、前記フランジ部の前記軸方向の基端側に突出する根元部（５１）と、前記根元部の前記軸方向の基端側に位置するとともに外周が前記根元部よりも縮径して前記根元部との間に環状の段差形状を形成する縮径部（５２）と、前記縮径部の前記軸方向の基端側に位置するとともに外周が前記縮径部よりもさらに縮径して前記縮径部との間に環状の段差形状を形成する一般部とが形成されており、
前記基端側カバーの前記軸方向における先端側端部（４６０）は、前記縮径部の外周に接合されており、
前記基端側カバーと前記一般部との間には、前記軸方向に直交する径方向の幅が前記基端側カバーの厚みよりも小さな環状の隙間が形成されている、ガスセンサ（１）にある。
【手続補正３】
【補正対象書類名】明細書
【補正対象項目名】０００９
【補正方法】変更
【補正の内容】
【０００９】
本発明の他の態様は、ガス検知が可能な検知部（２１）を軸方向（Ｌ）の先端側位置に有するセンサ素子（２）と、
前記検知部が前記軸方向の先端側（Ｌ１）に突出する状態で、前記センサ素子が挿通された筒形状のハウジング（４１）と、
前記センサ素子の前記軸方向の基端側位置に設けられた端子部（２２）に接触する接点端子（４４）と、
前記接点端子を保持するインシュレータ（４３）と、
前記接点端子に接続されて外部に引き出されたリード線（４８）と、
前記リード線を保持する封止部材（４７）と、
前記ハウジングの最大外径部を構成するフランジ部（４１１）から前記軸方向の基端側（Ｌ２）に突出して設けられた環状突起部（５）の外周に装着され、前記封止部材を内周側に保持する基端側カバー（４６Ａ，４６Ｂ）と、を備え、
前記基端側カバーの前記軸方向における先端側端部（４６０）の内周には、前記先端側端部の外周が前記軸方向に平行な状態のまま、凸部（４６６）が形成されており、
前記環状突起部と前記基端側カバーの前記先端側端部とは、前記凸部を介して接合されており、
前記基端側カバーと前記環状突起部との間には、前記凸部の前記軸方向に直交する径方向の幅と同じ幅の環状の隙間が形成されている、ガスセンサ（１）にある。